(57)【要約】【課題】火災時であっても、簡単な構造で、内障子と外障子の召し合せ部の気密性を維持することができる上げ下げ窓を提供する。【解決手段】上げ下げ窓は、内障子３と外障子２とを備え、内障子３と外障子２は、召し合せ部の長手方向中央を施錠金具７（クレセント）で拘束してあるとともに、召し合せ部の施錠金具７を挟んで両側に反り防止金具８０を有し、反り防止金具８０は、内障子側金具８３と、外障子側金具８２と、を有する。内障子側金具８３と外障子側金具８２は、内障子３が閉鎖状態の場合、内障子側金具８３と外障子側金具８２とが室内外方向に係合し、且つ、内障子３の召し合せ框が火災の熱で熱伸びした場合、内障子側金具８３と外障子側金具８２とが上下方向に係合して移動が規制されるように構成されている。【選択図】図４
2014218832.tif 000002
【特許請求の範囲】
【請求項１】
内障子と外障子とを備え、
内障子と外障子は、召し合せ部の長手方向中央を施錠金具で拘束してあるとともに、召し合せ部の施錠金具を挟んで両側に反り防止金具を有し、
反り防止金具は、内障子側金具と外障子側金具とからなり、
内障子側金具と外障子側金具は、内障子が閉鎖状態の場合、内障子側金具と外障子側金具とが室内外方向に係合し、且つ、内障子の召し合せ框が火災の熱で熱伸びした場合、内障子側金具と外障子側金具とが上下方向に係合して移動が規制されるように構成されていることを特徴とする上げ下げ窓。
【発明の詳細な説明】
【技術分野】
【０００１】
本発明は、上げ下げ窓に関する。
【背景技術】
【０００２】
枠体の内部に内障子と外障子とを備え、少なくとも内障子または外障子を上げ下げ自在に納めてなる上げ下げ窓（建具）が知られている（例えば、特許文献１、特許文献２参照）。
【先行技術文献】
【特許文献】
【０００３】
【特許文献１】特許第４３８８９０４号公報
【特許文献２】特開２００７−２５４９６３号公報
【発明の概要】
【発明が解決しようとする課題】
【０００４】
しかしながら、特許文献１、特許文献２に記載された上げ下げ窓（建具）などでは、火災時、例えば、障子の框が熱伸びして、召し合せ部の左右端部が反り、外障子と内障子の召し合せ部の間に隙間ができ、室内外が連通して、気密性を維持できなくなる場合がある。この場合、煙や炎が、外障子と内障子の召し合せ部に生じた隙間を介して、室外から室内に、又は、室内から室外に侵入する虞がある。
【０００５】
本発明は、上述した問題に鑑みてなされたもので、火災時であっても、簡単な構造で、外障子と内障子の召し合せ部の気密性を維持することができる上げ下げ窓を提供すること、などを目的をとする。
【課題を解決するための手段】
【０００６】
本発明の上げ下げ窓は、内障子と外障子とを備え、内障子と外障子は、召し合せ部の長手方向中央を施錠金具で拘束してあるとともに、召し合せ部の施錠金具を挟んで両側に反り防止金具を有し、反り防止金具は、内障子側金具と外障子側金具からなり、内障子側金具と外障子側金具は、内障子が閉鎖状態の場合、内障子側金具と外障子側金具とが室内外方向に係合し、且つ、内障子の召し合せ框が火災の熱で熱伸びした場合、内障子側金具と外障子側金具とが上下方向に係合して移動が規制されるように構成されている。
【発明の効果】
【０００７】
本発明によれば、火災時であっても、簡単な構造で、内障子と外障子の召し合せ部の気密性を維持可能な上げ下げ窓を提供することができる。
【図面の簡単な説明】
【０００８】
【図１】本発明の実施形態に係る上げ下げ窓の室内側全体正面図。
【図２】図１に示した上げ下げ窓のＡ−Ａ線に沿った縦断面図。
【図３】本発明の実施形態に係る上げ下げ窓の横断面図、（ａ）は図１に示したＢ−Ｂ線に沿った断面模式図、（ｂ）は図２に示したＣ−Ｃ線に沿った断面模式図。
【図４】図２に示した上げ下げ窓の反り防止金具付近の拡大縦断面図。
【図５】図３に示した上げ下げ窓の反り防止金具付近の拡大横断面図。
【図６】本発明の実施形態に係る上げ下げ窓の反り防止金具（内障子側金具）の一例を示す図、（ａ）は上面図、（ｂ）は側面図、（ｃ）は正面図。
【図７】熱膨張耐火材を貼付した反り防止金具（内障子側金具）の一例を示す図、（ａ）は上面図、（ｂ）は側面図、（ｃ）正面図。
【図８】本発明の実施形態に係る上げ下げ窓の反り防止金具（外障子側金具：受け部材）の一例を示す図、（ａ）は上面図、（ｂ）は側面図、（ｃ）は正面図。
【図９】火災時の上げ下げ窓の反り防止金具の係合状態の一例を示す拡大横断面図。
【発明を実施するための形態】
【０００９】
本発明の実施形態に係る上げ下げ窓を防火用上げ下げ窓に適用した一例を、図面を参照しながら説明する。
図１は、本発明の実施形態に係る上げ下げ窓１００の室内側全体正面図である。図２は、図１に示した上げ下げ窓１００のＡ−Ａ線に沿った縦断面図である。図３（ａ）は本発明の実施形態に係る上げ下げ窓１００の横断面図である。詳細には、図３（ａ）は図１に示したＢ−Ｂ線に沿った断面模式図、図３（ｂ）は図２に示したＣ−Ｃ線に沿った断面模式図である。
【００１０】
本発明の実施形態に係る上げ下げ窓１００は、躯体開口部に取付けたサッシ枠１内に収容された外障子２（上障子）と内障子３（下障子）とを有する。外障子２がサッシ枠１内の室外側上方に配置され、内障子３がサッシ枠１内の室内側下方に配置されている。
本実施形態では、外障子２がサッシ枠１内の上部に固定され、内障子３がサッシ枠１内の下部に嵌め込まれ、内障子３が上下移動自在に配置されている。内障子３を上げた場合、内障子３の下方に形成される開口部を通じて採風を行えるように、上げ下げ窓１００が構成されている。外障子２と内障子３は、引違い状に配置されている。尚、上げ下げ窓１００は、シングルハングであってもよいし、ダブルハングなどであってもよい。
【００１１】
本発明の実施形態の上げ下げ窓１００として、アルミニウム合金などの金属材と、その金属材の室内側に配設した樹脂材を備える複合サッシを採用し、断熱性および意匠性を向上させている。尚、上げ下げ窓１００は、複合サッシに限られるものではない。
【００１２】
＜サッシ枠１＞
サッシ枠１は、上枠１１と、下枠１２と、左右の竪枠１３，１４とを有し、それらが四方枠組みして構成されている。上枠１１、下枠１２、竪枠１３，１４の内周部には、外障子２や内障子３に嵌合する凹部が形成されている。本実施形態では、各枠１１，１２，１３，１４は、金属材、その金属材の室内側に配設した樹脂材などで構成されている。
【００１３】
＜外障子２＞
外障子２は、上障子として機能し、上框２１、下框２２、竪框２３，２４を四周枠組みして構成されている。外障子２は、各框により区画された区画内にガラスパネル２５（パネル）を装着して構成されている。
＜内障子３＞
内障子３は、下障子として機能し、上框３１、下框３２、竪框３３，３４を四周枠組みして構成されている。内障子３は、各框により区画された区画内にガラスパネル３５（パネル）を装着して構成されている。
【００１４】
上記外障子２及び内障子３のパネル２５，３５は、例えば、その四方端部がシール部材６（グレージングチャンネル）を介して外障子２および内障子３の各框に嵌合している。本実施形態では、パネル２５，３５として、２枚の板ガラスの間にスペーサーを挟持した複層ガラスパネルを例示しており、そのガラスの隙間に乾燥空気や不活性ガスなどが封入されている。尚、パネル２５，３５はこの形態に限定されるものではなく、単板ガラスであってもよい。
【００１５】
内障子３及び外障子２は、アルミニウム合金などの押出形材の金属框と、その金属框の室内側面等に設けられた樹脂框となどで構成されていてもよい。
【００１６】
＜バランサ５＞
サッシ枠１の竪枠１３，１４の上部、または、上枠１１の左右両端部付近に、渦巻バネ式バランサ装置などのバランサ５が設けられている。バランサ５から繰り出された吊りワイヤ５ｗに、可動障子としての内障子３（下障子）が吊設されている。本実施形態では、可動障子である内障子３（下障子）は、内障子３の下端部付近に設けられた係止部材５ｓにワイヤ５ｗが係止されることで吊設されている。内障子３（下障子）の重力と、バランサ５による上方向への付勢力とが力学的に平衡関係となるように構成され、可動障子である内障子３を小さな力で簡単に上下方向に移動させて開閉可能であり、且つ、内障子３を任意の高さ位置に停止できるように構成されている。
【００１７】
＜把持部３７（把手）＞
本実施形態では、内障子３（下障子）の下框の中央部付近に、把持部３７（把手）が設けられている。操作者が把持部３７を上下方向に操作することで、内障子３を簡単に開閉自在となるように構成されている。
【００１８】
図２、図４に示したように、召し合せ框としての上框３１は、金属上框３１１と、その金属上框３１１の上部側や室内側面などに設けられた樹脂上框３１２とを有する。金属上框３１１の中空部内に、断面Ｕ字形状の補強部材３１３が内設されている。
【００１９】
＜施錠金具７（クレセント）＞
図１、図２に示したように、外障子２（上障子）の下框（召し合せ框）と、内障子３（下障子）の上框３１（召し合せ框）は、施錠金具７（クレセント）により施錠可能に構成されている。詳細には、内障子３（下障子）の上框３１（召し合せ框）の略上端中央部にクレセント本体金具７１が設けられている。外障子２の下框（召し合せ框）の略上部中央には、クレセント受け金具７２が設けられている。
【００２０】
＜反り防止金具８０＞
内障子３と外障子２は、召し合せ部（本実施形態では内障子３の上框３１および竪框３３，３４の上部と、外障子２の下框２２および竪框２３，２４の下部）の長手方向（左右方向）の中央を施錠金具７で拘束可能に構成されており、且つ、召し合せ部の施錠金具７を挟んで両側に、反り防止金具８０を有する。反り防止金具８０は、内障子側金具８３（下障子側金具）と、外障子側金具８２（上障子側金具）と、を有する。反り防止金具８０の詳細については後述する。
【００２１】
次に、上げ下げ窓１００の反り防止金具８０付近の構成要素について詳細に説明する。
図４は、図２に示した上げ下げ窓１００の反り防止金具８０付近の拡大縦断面図である。図５は図３に示した上げ下げ窓１００の反り防止金具８０付近の拡大横断面図である。図６は、本発明の実施形態に係る上げ下げ窓１００の反り防止金具（内障子側金具８３）の一例を示す図である。詳細には、図６（ａ）は上面図、図６（ｂ）は側面図、図６（ｃ）は正面図である。図７は熱膨張耐火材９を貼付した反り防止金具（内障子側金具８３）の一例を示す図である。詳細には、図７（ａ）は上面図、図７（ｂ）は側面図、図７（ｃ）正面図である。図８は本発明の実施形態に係る上げ下げ窓１００の反り防止金具（外障子側金具８２：反り防止金具受け部材）の一例を示す図である。詳細には、図８（ａ）は上面図、図８（ｂ）は側面図、図８（ｃ）は正面図である。
【００２２】
本実施形態では、図４、図５に示したように、内障子３と外障子２は、召し合せ部の両端付近に、反り防止金具８０を備える。
【００２３】
外障子２の下框２２は、アルミニウム合金などの押出形材の金属框であり、図４に示したように、断面略四角筒形状に形成されており、中空部２２ｋ内に金属材料からなる補強材２２３を備えている。外障子２の下框２２の上部には、シール部材６を介してパネル２５を挟持する凹部２２ａが設けられており、その凹部２２ａにパネル２５としてガラスが設けられている。本実施形態では、シール部材６と下框２２との間に、ステンレス鋼（ＳＵＳ）などの金属材により形成された、間口補強材６１が設けられている。
外障子２の下框２２は、内障子側の側面部に煙返し２２ｂが設けられており、煙返し２２ｂの近傍に、先端部が室内側に向かって延びるモヘヤなどの気密部材９７１を備える。
本実施形態では、外障子２の下框２２には、図４に示したように、室内側角部に切り欠け状の段部が形成されている。外障子側金具８２（上障子側金具）は、外障子２の下框２２の下面側の段部に対応する形状に形成されており、下框２２の下面側の段部に固定部材９０２，９０３，９０４などにより固定さている。
【００２４】
内障子３の上框３１は、図４に示したように、アルミニウム合金などの押出形材の金属框であり、詳細には、断面四角筒形状に形成された金属上框３１１と、その金属上框３１１の上部側や室内側面などに設けられた樹脂上框３１２とを有する。
金属上框３１１の中空部３１１ｋ内に、断面Ｕ字形状の金属材料からなる補強部材３１３が備えられている。
【００２５】
内障子３の上框３１の下部には、シール部材６を介してパネル２５を挟持する凹部３１ａが設けられており、その凹部３１ａにパネル３５としてガラスが設けられている。凹部３１ａは、金属上框３１１の室外側の側面から下方に伸びる突出部と、樹脂上框３１２の室内側側面から下方に伸びる突出部とにより構成されている。本実施形態では、シール部材６と上框３１との間に、ステンレス鋼（ＳＵＳ）などの金属材料により形成された、間口補強材６１が設けられている。
【００２６】
内障子３の上框３１は、外障子側の側面部に煙返し３１ｂが設けられている。内障子３と外障子２が閉鎖状態の場合、内障子３の煙返し３１ｂと外障子２の煙返し２２ｂが係合するように構成されている。
また、内障子３の上框３１（樹脂上框３１２）の室外側の側面部の上部には、先端部が室外側に向かって延びるパッキンなどの気密部材９５１が設けられている。
【００２７】
また、図５に示したように、サッシ枠１の竪枠１４は、金属竪枠１４１と、金属竪枠１４１の室内側に形成された樹脂枠１４２とを有する。内障子３の樹脂竪框３４２の室外側の側面部、及び、金属竪框３４１の室外側の側面部に、先端部が室外側に向かって延びるモヘヤなどの気密部材９７２，９７３が設けられている。尚、サッシ枠１の竪枠１４、内障子３の竪框３４について説明したが、サッシ枠１の竪枠１３、内障子３の竪框３３についても同様であるので、説明を省略する。
【００２８】
上述したように、反り防止金具８０は、内障子側金具８３（下障子側金具）と、外障子側金具８２（上障子側金具）と、を有する。内障子側金具８３と外障子側金具８２は、内障子３が閉鎖状態の場合、内障子側金具８３と外障子側金具８２とが室内外方向に係合し、且つ、内障子３の召し合せ框（内障子３の上框３１）が火災の熱で熱伸びした場合、内障子側金具８３と外障子側金具８２とが上下方向に係合して移動が規制されるように構成されている。内障子側金具８３と外障子側金具８２は、ステンレスなどの金属材により構成されている。
以下、反り防止金具８０の各部材について、詳細に説明する。
【００２９】
＜内障子側金具８３（下障子側金具）＞
図４、図５、図６、図７に示したように、反り防止金具８０の内障子側金具８３は、内障子３の竪框３４（３３）の上部（召し合せ部）の外障子２側（室外側）に設けられている。詳細には、内障子側金具８３は、本体部８３ａと、段部８３ｂと、係合突起部８３ｃと、などを有する。竪框３３の上部に設けた内障子側金具８３については、同様な構成であるので、説明を省略する。
【００３０】
本体部８３ａは、略矩形板状に形成され、略中央部に孔部８３ｈが形成されている。固定用ネジなどの固定部材９０１が孔部８３ｈに嵌合し、且つ、金属竪框３４１の室外側側面３４１ｃに固定されている。
また、本体部８３ａは、その端部に屈曲した形状の係合部８３ｆが形成されている。係合部８３ｆは、内障子３の竪框３４（金属竪框３４１）に形成された孔形状の被係合部３４１ｄに係合するように構成されている（図５参照）。内障子側金具８３は、固定用ネジなどの固定部材９０１と係合部８３ｆとにより、内障子３の竪框３４（金属竪框３４１）の室外側側面３４１ｃに固定された構造となっているので、内障子側金具８３に外力が加わった場合であっても、内障子側金具８３の回転を防止することができる。
【００３１】
段部８３ｂは、本体部８３ａの下端から外障子２側へ屈曲して所定距離だけ延出した形状に形成されている。
係合突起部８３ｃは、段部８３ｂから下方へ向けて延出した形状に形成されるとともに、その先端部に、召し合せ部の端部に向けて屈曲した突出部８３ｄを有する。この係合突起部８３ｃの突出部８３ｄは、火災などの場合に外障子側金具８２に係合するように形成されている。
【００３２】
また、本実施形態では、図７に示したように、内障子側金具８３の本体部８３ａに、熱膨張耐火材９を設けている。熱膨張耐火材９としては、例えば積水化学工業株式会社製の商品名「フィブロック（登録商標）」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。この熱膨張耐火材９は、火災時に消失することがなく、有害ガスが発生することもない。またフィブロックは、片面に剥離紙付きの接着層を有し、剥離紙を剥がして簡便に接着取付けすることができる。
【００３３】
＜外障子側金具８２＞
図４、図５、図８に示したように、外障子側金具８２は、本体部８２ａと、段部８２ｂと、平坦部８２ｃと、立設部８２ｄと、屈曲部８２ｅと、などを有する。
【００３４】
本体部８２ａは、略平板形状に形成され、孔部８２ｈａ、８２ｈｂが形成されている。固定用ネジなどの固定部材９０２，９０３が孔部８２ｈａ、８２ｈｂに嵌合し、且つ、下框２２の下部に形成された孔部２２ｃに嵌合することで、外障子側金具８２を下框２２の下部に固定するように構成されている。本実施形態では、外障子側金具８２を下框２２の左右端部の両方に設けている。
【００３５】
段部８２ｂは、本体部８２ａの室外側端部から下方へ屈曲して所定距離だけ延出した形状に形成されている。
【００３６】
平坦部８２ｃは、段部８２ｂから室外側へ向けて延出した形状に形成されている。平坦部８２ｃには、孔部８２ｈｃが形成されている。固定用ネジなどの固定部材９０４が孔部８２ｈｃに嵌合することで、外障子側金具８２を外障子２の下框２２の下部に固定するように構成されている。つまり、本実施形態では、外障子側金具８２を外障子２の下框２２の下部（下枠１２側）に、固定部材９０２，９０３，９０４により強固に固定した構造となっている。
【００３７】
立設部８２ｄは、外障子側金具８２の本体部８２ａの端部（内障子３側の端部）から上方（上框２１側）に向けて延出した形状に形成されている。
屈曲部８２ｅは、立設部８２ｄの上部から室外方向に延出する形状に形成されている。
【００３８】
＜反り防止金具８０の取付構造の一例（通常時）＞
反り防止金具８０である外障子側金具８２と内障子側金具８３の取付構造を説明する。
図４、図５に示したように、外障子側金具８２は、本体部８２ａおよび平坦部８２ｃが、外障子２の下框２２ｂの下面に固定部材９０２，９０３，９０４により固定され、立設部８２ｄ及び屈曲部８２ｅが、外障子２の金属竪框２４１の室内側側面と内障子３の竪框３４（金属竪框３４１）の室外側側面部との間に配置される。金属竪框３４１の室内側には樹脂竪框３４２が設けられている。
内障子側金具８３は、本体部８３ａが、内障子３の竪框３４（金属竪框３４１）の外障子２側（室外側）に、固定部材９０１により固定されており、段部８３ｂが本体部８３ａの下端から外障子２側へ屈曲して所定距離だけ延出し、係合突起部８３ｃが段部８３ｂから下方へ向けて延出した形状に形成され、先端部の突出部８３ｄが召し合せ部の端部側に向けて屈曲している。
【００３９】
通常時、図５に示したように上面視した場合、内障子側金具８３の段部８３ｂ、係合突起部８３ｃ、突出部８３ｄが、外障子側金具８２の本体部８２ａに重なるように配置されている。通常時、図４、図５に示したように、内障子側金具８３の係合突起部８３ｃ、突出部８３ｄが、外障子側金具８２の立設部８２ｄに対して室内外方向に係合自在となっており、且つ、内障子側金具８３の突出部８３ｄが、外障子側金具８２の屈曲部８２ｅに対して上下方向に、非係合状態となっている。この状態では、施錠金具７（クレセント）を解除した状態で、内障子３を上下に移動自在となっている。
【００４０】
＜火災時などで内障子３の框が熱伸びした場合＞
図９は火災時の上げ下げ窓１００の反り防止金具８０の係合状態の一例を示す拡大横断面図である。内障子３が閉鎖状態、外障子２及び内障子３の召し合せ框の中央部に設けられた施錠金具７が施錠状態、且つ、火災時などで内障子３の上框３１が長手方向に熱伸びするとともに、竪框３３，３４が熱伸びした場合、図９に示したように、内障子側金具８３と外障子側金具８２とが室内外方向に係合し、且つ、内障子側金具８３と外障子側金具８２とが係合して上下方向の移動を規制するように構成されている。
詳細には、図９に示したように、内障子側金具８３の係合突起部８３ｃ、突出部８３ｄが、外障子側金具８２の立設部８２ｄに対して室内外方向に係合自在となっており、且つ、内障子側金具８３の突出部８３ｄが、外障子側金具８２の屈曲部８２ｅに対して上下方向に係合可能な状態となっており、上下方向の移動を規制するように構成されている。詳細には、竪框が上下方向に熱伸びした場合、内障子側金具８３の突出部８３ｄと、外障子側金具８２の屈曲部８２ｅとが係合することで、それらの上下方向の移動を規制するように構成されている。
図９に示したように、内障子側金具８３と外障子側金具８２とが係合した状態では、内障子３の上框３１（召し合せ框）の両端部に関して、内障子側金具８３と外障子側金具８２により上下方向の移動が規制され、且つ、内障子３の上框３１（召し合せ框）の両端部に関して、室内外方向への移動が規制される。詳細には、内障子３の上框３１の両端部の室内側への移動が規制される。
【００４１】
このため、火災時、外障子２と内障子３の召し合せ部（内障子３の上框３１および竪框３３，３４の上部と、外障子２の下框２２および竪框２３，２４の下部）の気密性を維持することができる。
【００４２】
また、火災時、図４に示したように、内障子３の上框３１（金属上框３１１）に、その上框３１の長手方向に沿って設けられた熱膨張耐火材９ａが熱により発泡して５〜４０倍に膨張して、外障子２の下框２２の室内側側面と、内障子３の上框３１の室外側側面との間の空間を埋めて断熱層を形成する。同様に、火災時、図４、図９に示したように、内障子側金具８３に設けられた熱膨張耐火材９が、熱により発泡して５〜４０倍に膨張して、内障子３の竪框３３（３４）の室外側側面の上部と、外障子２の竪框２３，２４の下部の室内側側面との間の空間を埋めて断熱層を形成する。
このため、火災時であって、外障子２と内障子３の召し合せ部の気密性を確実に維持することができる。
【００４３】
以上、説明したように、本発明の実施形態に係る上げ下げ窓は、内障子３と外障子２とを備え、内障子３と外障子２は、召し合せ部の長手方向中央をクレセントなどの施錠金具７で拘束してあるとともに、召し合せ部の施錠金具７を挟んで両側に反り防止金具８０を有し、反り防止金具８０は、内障子側金具８３と、外障子側金具８２と、を有し、内障子側金具８３と外障子側金具８２は、内障子３が閉鎖状態の場合、内障子側金具８３と外障子側金具８２とが室内外方向に係合し、且つ、内障子３の召し合せ框が火災の熱で熱伸びした場合、内障子側金具８３と外障子側金具８２とが係合して上下方向の移動を規制するように構成されている。
つまり、内障子３と外障子２とを備える上げ下げ窓において、火災時に召し合せ部同士が離れないように、框が熱伸びしたときにのみ係合する反り防止金具８０を設けている。
【００４４】
詳細には、内障子３の上框３１または竪框３３，３４の上部に設けられた内障子側金具８３（反り防止金具など）と、外障子２の下框２２（召合框）の下端に設けられた外障子金具８２（受け金具など）とが、内障子３の框が熱伸びした場合に係合するように構成されている。
すなわち、火災時など、内障子側金具８３と、外障子側金具８２の受け金具が係合することで、内障子３の反りを防止することができる。
このため、火災時に、障子框の熱伸びによる内障子３と外障子２の間の隙間の発生を防ぐことができる。
また、火災時に、内障子側金具８３と外障子金具８２とが係合し、内障子３の上下方向への移動を規制した状態となるので、外障子２の下框２２に設けられた煙返し２２ｂと、内障子３の上框３１に設けられた煙返し３１ｂとが係合した状態を維持することができ、外障子２と内障子３の召し合せ部の気密性を維持することができる。
【００４５】
また、上述したように、通常時、図４、図５に示したように、内障子側金具８３の係合突起部８３ｃ、突出部８３ｄが、外障子側金具８２の立設部８２ｄに対して室内外方向に係合自在となっており、且つ、内障子側金具８３の突出部８３ｄが、外障子側金具８２の屈曲部８２ｅに対して上下方向に、非係合状態となっている。この状態では、施錠金具７（クレセント）を解除した状態で、内障子３を上下に移動自在となっており、内障子３の開閉を妨げないように構成されている。
【００４６】
具体的には、本発明の実施形態に係る上げ下げ窓１００は、次の作用を有する。
内障子側金具８３と外障子側金具８２とが、火災時にのみ上下方向に係合自在となり、内外障子（３，２）の召し合せ部が互いに離間する方向へ移動するのを阻止することができる。すなわち、本実施形態に係る上げ下げ窓１００は、通常時には、内障子側金具８３の突出部８３ｄと外障子側金具８２の屈曲部８２ｅとが上下方向に対向しない位置にあるため、これらが上下方向に係合せず、内障子３の開方向への移動が妨げられることはない。
火災時に内障子３の召し合せ框が熱伸びしたときには、内障子側金具８３の位置が左右端部方向に移動し、内障子側金具８３の突出部８３ｄと外障子側金具８２の屈曲部８２ｅとが上下方向に対向する位置に配置されるため、内障子側金具８３と外障子側金具８２とが上下方向に係合自在な状態となる。ここで、火災時に内外障子（３，２）の竪框が熱伸びすると、内障子３の召し合せ部は上方向に、外障子２の召し合せ部は下方向に（それぞれ、召し合せ框の煙返し（２２ｂ，３１ｂ）の掛かりと逆方向に）移動しようとするが、内障子側金具８３の突出部８３ｄの上面と、外障子側金具８２の屈曲部８２ｅの下面とが掛かるため、この移動が阻止され、内外障子（３，２）の召し合せ部が上下方向に離間するのを防止できる。
【００４７】
また、内障子側金具８３の係合突起部８３ｃと外障子側金具８２の立設部８２ｄとが室内外方向に係合自在であるため、火災時において、内外障子（３，２）の召し合せ部が室内外方向に離間するのを防ぐことができる。すなわち、内外障子（３，２）の召し合せ框は中央に施錠金具７を備えると共に互いに係合自在な煙返し（２２ｂ，３１ｂ）を備えるが、火災時には、召し合せ框が熱伸びすると共に煙返し（２２ｂ，３１ｂ）が溶融することで、特に召し合せ部の左右端部から召し合せ部が室内外方向に離間し、隙間が大きくなる懸念がある。このとき、内障子側金具８３の係合突起部８３ｃと外障子側金具８２の立設部８２ｄとが室内外方向に係合することで、召し合せ部の端部が室内外方向に離間するのが阻止されるため、召し合せ框の変形が抑制され、隙間が大きくなるのを防止することができる。
よって、本発明の実施形態に係る上げ下げ窓１００は、内障子側金具８３と外障子側金具８２とが、火災時にのみ上下方向に係合自在、且つ室内外方向に係合自在であることで、通常時には内障子３の開方向への移動を妨げず、火災時にのみ、内外障子（３，２）の召し合せ部の離間を防止することができる。
【００４８】
さらに、内外障子（３，２）の召し合せ框間と内障子側金具８３には、熱膨張耐火材９が設けてあるため、火災時には、召し合せ部の隙間を熱膨張耐火材９で連続して塞ぐことができ、これにより、火災時においても内外障子（３，２）の召し合せ部の気密性を維持することができる。
【００４９】
尚、本発明の実施形態に係る上げ下げ窓１００は、上述した実施形態に限定されない。
例えば、上記実施形態に係る上げ下げ窓１００は、内障子３と外障子２の召し合せ部の両端（左右方向の両端）に反り防止金具８０を備えたが、この形態に限られるものではない。例えば、反り防止金具８０は、施錠金具７（クレセント）と召し合せ部の端部（左右方向の端部）との間に、反り防止金具８０を有していてもよい。
【００５０】
また、本発明の実施形態に係る上げ下げ窓１００は、可動障子である内障子３（下障子）がシングルハングに限られるものではなく、ダブルハングであってもよい。
また、可動障子は、１枚又は３枚以上の可動障子により構成されていてもよい。
【００５１】
また、外障子２のガラス枠組構成部材は、ガラスの周囲を枠組みするものであればよく、実施形態のような竪框と横框に限らず、竪枠、横枠、方立、無目等であってもよい。
また、ガラス枠組構成部材及び他のガラス枠組み構成部材の断面形状は、適宜変更することができる。
また、外障子２、内障子３に設けられるパネル（ガラス）は３枚以上とすることもできる。
また、本発明に係る上げ下げ窓は、建物の窓に限らず、電車等の乗り物の窓等に用いることもできる。
【００５２】
以上、本発明の実施形態について説明したが、本発明の実施形態の一部または全部は、以下の付記のように記載される。
［付記１］
内障子と外障子とを備え、
内障子と外障子は、召し合せ部の長手方向中央を施錠金具で拘束してあるとともに、召し合せ部の施錠金具を挟んで両側に反り防止金具を有し、
反り防止金具は、内障子側金具と、外障子側金具と、からなり、
内障子側金具と外障子側金具は、内障子が閉鎖状態の場合、内障子側金具と外障子側金具とが室内外方向に係合し、且つ、内障子の召し合せ框が火災の熱で熱伸びした場合、内障子側金具と外障子側金具とが上下方向に係合して移動が規制されるように構成されていることを特徴とする上げ下げ窓。
［付記２］
前記内障子側金具は、本体部が内障子の竪框の室外側に固定され、本体部の下端から外障子側へ屈曲して所定距離だけ延出した段部と、段部から下方へ向けて延出した形状に形成された係合突起部と、係合突起部の先端部に召し合せ部の端部側に屈曲した突出部とを有し、
前記外障子側金具は、本体部が外障子の下框の下部に固定され、外障子側金具の本体部の端部（内障子側の端部）から上方（上框側）に向けて延出した立設部と、立設部の上部から室外方向に延出する形状の屈曲部とを有し、立設部及び屈曲部が、外障子の下框の室内側側面と内障子の上框の室外側側面部との間に配置され、
火災時、内障子側金具の係合突起部および突出部と、外障子側金具の立設部および屈曲部とが係合するように構成されていることを特徴とする付記１に記載の上げ下げ窓。
【００５３】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００５４】
１  サッシ枠
２  外障子（上障子）
３  内障子（下障子）
５  バランサ
５ｓ  係止部材
５ｗ  ワイヤ
６  シール部材（グレージングチャンネル）
７  施錠金具（クレセント）
９  熱膨張耐火材
１１  上枠
１２  下枠
１３  竪枠
１４  竪枠
２１  上框
２２  下框
２３  竪框
２４  竪框
２５  パネル
３１  上框
３２  下框
３３  竪框
３４  竪框
３５  パネル（ガラスパネル）
３７  把持部（把手）
８０  反り防止金具
８２  外障子側金具
８２ａ  本体部
８２ｂ  段部
８２ｃ  平坦部
８２ｄ  立設部
８２ｅ  屈曲部
８３  内障子側金具
８３ａ  本体部
８３ｂ  段部
８３ｃ  係合突起部
８３ｄ  突出部
８３ｆ  係合部
１００  上げ下げ窓（防火用上げ下げ窓）
【図１】
2014218832.tif 000003
【図２】
2014218832.tif 000004
【図３】
2014218832.tif 000005
【図４】
2014218832.tif 000006
【図５】
2014218832.tif 000007
【図６】
2014218832.tif 000008
【図７】
2014218832.tif 000009
【図８】
2014218832.tif 000010
【図９】
2014218832.tif 000011